(57)【特許請求の範囲】
【請求項１】
励起光として用いられる第１色成分光を出射する光源と、
前記第１色成分光を反射する反射領域と前記第１色成分光に応じて第２色成分光を発光する発光領域とを有し、前記第１成分光が入射することにより前記第１色成分光或いは第２色成分光を時分割で出射する反射型回転体と、
前記第１色成分光の光路上において、前記光源と前記反射型回転体との間に配置された光路変更素子と、
前記第１色成分光の光路上において、前記光路変更素子と前記反射型回転体との間に配置された偏光調整素子とを備え、
前記偏光調整素子は、前記光源から出射される第１色成分光の透過及び前記反射型回転体の反射領域で反射される第１色成分光の透過によって、前記第１色成分光の偏光を異なる偏光に調整し、
前記光路変更素子は、前記偏光調整素子によって調整される第１色成分光の偏光に応じて、前記反射型回転体の反射領域で反射される第１色成分光を前記光源から出射される第１色成分光とは異なる方向に導くことを特徴とする光源装置。
【請求項２】
前記光源は、前記光路変更素子に対して、Ｐ偏光の第１色成分光を出射し、
前記偏光調整素子は、前記光源から出射される第１色成分光の透過及び前記反射体で反射される第１色成分光の透過によって、Ｐ偏光の第１色成分光をＳ偏光の第１色成分光に調整し、
前記光路変更素子は、Ｐ偏光の第１色成分光を透過し、Ｓ偏光の第１色成分光を反射することを特徴とする請求項１に記載の光源装置。
【請求項３】
前記光源は、前記光路変更素子に対して、Ｓ偏光の第１色成分光を出射し、
前記偏光調整素子は、前記光源から出射される第１色成分光の透過及び前記反射体で反射される第１色成分光の透過によって、Ｓ偏光の第１色成分光をＰ偏光の第１色成分光に調整し、
前記光路変更素子は、Ｓ偏光の第１色成分光を反射し、Ｐ偏光の第１色成分光を透過することを特徴とする請求項１に記載の光源装置。
【請求項４】
前記光路変更素子は、前記発光体から発光される第２色成分光及び前記反射体で反射される第１色成分光を同じ方向に導くことを特徴とする請求項１に記載の光源装置。
【請求項５】
前記光路変更素子は、第１光路変更素子であり、
前記第１色成分光の光路上において、前記光源と前記第１光路変更素子との間に配置された第２光路変更素子を備え、
前記第２光路変更素子は、前記光源から出射される第１色成分光を前記第１光路変更素子側に透過し、前記発光体から発光される第２色成分光を反射することを特徴とする請求項１に記載の光源装置。
【請求項６】
励起光として用いられる第１色成分光を出射する光源と、
前記第１色成分光を反射する反射領域と前記第１色成分光に応じて第２色成分光を発光する発光領域とを有し、前記第１成分光が入射することにより前記第１色成分光或いは第２色成分光を時分割で出射する反射型回転体と、
前記第１色成分光の光路上において、前記光源と前記反射型回転体との間に配置された光路変更素子と、
前記第１色成分光の光路上において、前記光路変更素子と前記反射型回転体との間に配置された偏光調整素子と、
前記光路変更素子によって導かれる光を変調する光変調素子と、
前記光変調素子によって変調される光を投写する投写ユニットとを備え、
前記偏光調整素子は、前記光源から出射される第１色成分光の透過及び前記反射型回転体の反射領域で反射される第１色成分光の透過によって、前記第１色成分光の偏光を異なる偏光に調整し、
前記光路変更素子は、前記偏光調整素子によって調整される第１色成分光の偏光に応じて、前記反射型回転体の反射領域で反射される第１色成分光を前記光源から出射される第１色成分光とは異なる方向に導くことを特徴とする投写型映像表示装置。
【発明の詳細な説明】
【技術分野】
【０００１】
本発明は、励起光として用いる第１色成分光を出射する光源と、第１色成分光に応じて第２色成分光を発光する発光体とを備える光源装置及び投写型映像表示装置に関する。
【背景技術】
【０００２】
従来、光源と、光源から出射された光を変調する光変調素子と、光変調素子によって変調された光を投写面上に投写する投写ユニットとを有する投写型映像表示装置が知られている。
【０００３】
ここで、光源から出射される光を励起光として、赤成分光、緑成分光、青成分光などの基準映像光を発光する発光体を有する投写型映像表示装置が提案されている（例えば、特許文献１）。具体的には、各色成分光を発光する複数種類の発光体がカラーホイールに設けられており、カラーホイールの回転によって、各色成分光が時分割で出射される。
【先行技術文献】
【特許文献】
【０００４】
【特許文献１】特開２００４−３４１１０５号公報
【発明の概要】
【発明が解決しようとする課題】
【０００５】
ところで、反射型のカラーホイールの光利用効率は、透過型のカラーホイールの光利用効率よりも高い。反射型のカラーホイールを用いる場合には、反射型のカラーホイールで反射される青成分光（基準映像光）の光路は、反射型のカラーホイールに導かれる青成分光（励起光）の光路と異なっている必要がある。
【０００６】
そこで、本発明は、上述した課題を解決するためになされたものであり、励起光を基準映像光として用いる場合において、光利用効率を向上することを可能とする光源装置及び投写型映像表示装置を提供することを目的とする。
【課題を解決するための手段】
【０００７】
第１の特徴に係る光源装置は、励起光として用いられる第１色成分光を出射する光源と、前記第１色成分光を反射する反射領域と前記第１色成分光に応じて第２色成分光を発光する発光領域とを有し、前記第１成分光が入射することにより前記第１色成分光或いは第２色成分光を時分割で出射する反射型回転体と、前記第１色成分光の光路上において、前記光源と前記反射型回転体との間に配置された光路変更素子と、前記第１色成分光の光路上において、前記光路変更素子と前記反射型回転体との間に配置された偏光調整素子とを備え、前記偏光調整素子は、前記光源から出射される第１色成分光の透過及び前記反射型回転体の反射領域で反射される第１色成分光の透過によって、前記第１色成分光の偏光を異なる偏光に調整し、前記光路変更素子は、前記偏光調整素子によって調整される第１色成分光の偏光に応じて、前記反射型回転体の反射領域で反射される第１色成分光を前記光源から出射される第１色成分光とは異なる方向に導く。
【０００８】
第１の特徴において、前記光源は、前記光路変更素子に対して、Ｐ偏光の第１色成分光を出射する。前記偏光調整素子は、前記光源から出射される第１色成分光の透過及び前記反射体で反射される第１色成分光の透過によって、Ｐ偏光の第１色成分光をＳ偏光の第１色成分光に調整する。前記光路変更素子は、Ｐ偏光の第１色成分光を透過し、Ｓ偏光の第１色成分光を反射する。
【０００９】
第１の特徴において、前記光源は、前記光路変更素子に対して、Ｓ偏光の第１色成分光を出射する。前記偏光調整素子は、前記光源から出射される第１色成分光の透過及び前記反射体で反射される第１色成分光の透過によって、Ｓ偏光の第１色成分光をＰ偏光の第１色成分光に調整する。前記光路変更素子は、Ｓ偏光の第１色成分光を反射し、Ｐ偏光の第１色成分光を透過する。
【００１０】
第１の特徴において、前記光路変更素子は、前記発光体から発光される第２色成分光及び前記反射体で反射される第１色成分光を同じ方向に導く。
【００１１】
第１の特徴において、前記光路変更素子は、第１光路変更素子である。光源装置は、前記光源から出射される第１色成分光の光路上において、前記光源と前記光路変更素子との間に配置された第２光路変更素子（例えば、光路変更素子１２０）を備える。前記第２光路変更素子は、前記光源から出射される第１色成分光を前記光路変更素子側に透過し、前記発光体から発光される第２色成分光を反射する。
【００１２】
第２の特徴に係る投写型映像表示装置は、励起光として用いられる第１色成分光を出射する光源と、前記第１色成分光を反射する反射領域と前記第１色成分光に応じて第２色成分光を発光する発光領域とを有し、前記第１成分光が入射することにより前記第１色成分光或いは第２色成分光を時分割で出射する反射型回転体と、前記第１色成分光の光路上において、前記光源と前記反射型回転体との間に配置された光路変更素子と、前記第１色成分光の光路上において、前記光路変更素子と前記反射型回転体との間に配置された偏光調整素子と、前記光路変更素子によって導かれる光を変調する光変調素子と、前記光変調素子によって変調される光を投写する投写ユニットとを備え、前記偏光調整素子は、前記光源から出射される第１色成分光の透過及び前記反射型回転体の反射領域で反射される第１色成分光の透過によって、前記第１色成分光の偏光を異なる偏光に調整し、前記光路変更素子は、前記偏光調整素子によって調整される第１色成分光の偏光に応じて、前記反射型回転体の反射領域で反射される第１色成分光を前記光源から出射される第１色成分光とは異なる方向に導く。
【発明の効果】
【００１３】
本発明によれば、励起光を基準映像光として用いる場合において、光利用効率を向上することを可能とする光源装置及び投写型映像表示装置を提供することができる。
【図面の簡単な説明】
【００１４】
【図１】第１実施形態に係る投写型映像表示装置１００を示す図である。
【図２】第１実施形態に係る光路変更素子２０の特性を示す図である。
【図３】第１実施形態に係るカラーホイール３０を示す図である。
【図４】第１実施形態に係るカラーホイール３０を示す図である。
【図５】第１実施形態に係る青成分光Ｂの偏光調整を説明するための図である。
【図６】変更例１に係る投写型映像表示装置１００を示す図である。
【図７】変更例１に係る光路変更素子２０Ａの特性を示す図である。
【図８】変更例２に係る投写型映像表示装置１００を示す図である。
【図９】変更例２に係る光路変更素子２０Ｂの特性を示す図である。
【図１０】変更例３に係る投写型映像表示装置１００を示す図である。
【図１１】変更例３に係る光路変更素子２０Ｃの特性を示す図である。
【図１２】変更例４に係る投写型映像表示装置１００を示す図である。
【発明を実施するための形態】
【００１５】
以下において、本発明の実施形態に係る光源装置及び投写型映像表示装置について、図面を参照しながら説明する。なお、以下の図面の記載において、同一又は類似の部分には、同一又は類似の符号を付している。
【００１６】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１７】
［実施形態の概要］
実施形態に係る光源装置は、励起光として用いられる第１色成分光を出射する光源と、第１色成分光を反射する反射体及び第１色成分光に応じて第２色成分光を発光する発光体を有する反射型回転体と、第１色成分光の光路上において、光源と反射型回転体との間に配置された光路変更素子と、第１色成分光の光路上において、光路変更素子と反射型回転体との間に配置された偏光調整素子とを備える。偏光調整素子は、光源から出射される第１色成分光の透過及び反射体で反射される第１色成分光の透過によって、第１色成分光の偏光を異なる偏光に調整する。光路変更素子は、偏光調整素子によって調整される第１色成分光の偏光に応じて、反射体で反射される第１色成分光を光源から出射される第１色成分光とは異なる方向に導く。
【００１８】
実施形態によれば、偏光調整素子は、第１色成分光の往復によって、第１色成分光の偏光を異なる偏光に調整する。これによって、光路変更素子は、反射体で反射される第１色成分光を光源から出射される第１色成分光とは異なる方向に導く。従って、第１色成分光を基準映像光として用いる場合において、反射型回転体を用いることが可能となり、光利用効率の向上を図ることができる。
【００１９】
なお、基準映像光は、映像を構成する光であり、例えば、赤成分光、緑成分光又は青成分光である。
【００２０】
［第１実施形態］
（投写型映像表示装置）
以下において、第１実施形態に係る投写型映像表示装置について、図面を参照しながら説明する。図１は、第１実施形態に係る投写型映像表示装置１００を示す図である。なお、第１実施形態では、基準映像光として、赤成分光Ｒ、緑成分光Ｇ及び青成分光Ｂを用いるケースについて例示する。
【００２１】
第１に、図１に示すように、投写型映像表示装置１００は、光源１０Ｂと、光路変更素子２０と、カラーホイール３０と、偏光調整素子４０と、反射ミラー５０と、ロッドインテグレータ６０と、折り返しミラー７０と、ＤＭＤ８０と、投写ユニット９０とを有する。
【００２２】
光源１０Ｂは、偏光度の高い青成分光Ｂ（第１実施形態では、Ｐ偏光）を出射する。青成分光Ｂは、基準映像光として用いられるとともに、緑成分光Ｇ及び赤成分光Ｒの励起光としても用いられる。光源１０Ｂは、例えば、LＤ（Ｌａｓｅｒ  Ｄｉｏｄｅ）やＬＥＤ（Ｌｉｇｈｔ  Ｅｍｉｔｔｉｎｇ  Ｄｉｏｄｅ）などである。
【００２３】
光路変更素子２０は、光源１０Ｂから出射される青成分光Ｂ（第１色成分光）の光路上において、光源１０Ｂとカラーホイール３０との間に配置される。なお、光路変更素子２０は、例えば、ダイクロイックミラーである。
【００２４】
具体的には、光路変更素子２０は、図２に示す特性を有する。図２において、縦軸は、透過率を示しており、横軸は、波長を示している。図２に示すように、光路変更素子２０は、緑成分光Ｇ及び赤成分光Ｒを反射する。また、光路変更素子２０は、Ｐ偏光の青成分光Ｂを透過し、Ｓ偏光の青成分光Ｂを反射する。
【００２５】
カラーホイール３０は、回動可能に構成されており、図３に示すように、赤領域３０Ｒと緑領域３０Ｇと、青領域３０Ｂと有する。
【００２６】
赤領域３０Ｒは、図４に示すように、光源１０Ｂに近いホイール面において、光源１０Ｂから出射される青成分光Ｂ（第１色成分光）に応じて赤成分光Ｒ（第２色成分光）を発光する発光体３１Ｒを有する。赤領域３０Ｒは、光源１０Ｂから離れたホイール面において反射ミラー３２Ｒを有する。
【００２７】
発光体３１Ｒは、蛍光体或いは燐光体である。反射ミラー３２Ｒは、発光体３１Ｒから発光される赤成分光Ｒを光路変更素子２０側に反射する。なお、反射ミラー３２Ｒは、青成分光Ｂの残存成分光を発光体３１Ｒ側に反射してもよい。
【００２８】
緑領域３０Ｇは、図４に示すように、光源１０Ｂに近いホイール面において、光源１０Ｂから出射される青成分光Ｂ（第１色成分光）に応じて緑成分光Ｇ（第２色成分光）を発光する発光体３１Ｇを有する。緑領域３０Ｇは、光源１０Ｂから離れたホイール面において反射ミラー３２Ｇを有する。
【００２９】
発光体３１Ｇは、蛍光体或いは燐光体である。反射ミラー３２Ｇは、発光体３１Ｇから発光される緑成分光Ｇを光路変更素子２０側に反射する。なお、反射ミラー３２Ｇ
は、青成分光Ｂの残存成分光を発光体３１Ｇ側に反射してもよい。
【００３０】
青領域３０Ｂは、図４に示すように、光源１０Ｂから出射される青成分光Ｂ（第１色成分光）を反射する反射ミラー３２Ｂを有する。反射ミラー３２Ｂは、青成分光Ｂを光路変更素子２０側に反射する。なお、青成分光Ｂが基準映像光として用いられるため、青領域３０Ｂは、発光体を有していないことは勿論である。
【００３１】
偏光調整素子４０は、光源１０Ｂから出射される青成分光Ｂ（第１色成分光）の光路上において、光路変更素子２０とカラーホイール３０との間に配置される。偏光調整素子４０は、光源１０Ｂから出射される青成分光Ｂ（第１色成分光）の透過及び反射ミラー３２Ｂで反射される青成分光Ｂ（第１色成分光）の透過によって、光源１０Ｂから出射される青成分光Ｂ（第１色成分光）の偏光を異なる偏光に調整する。
【００３２】
例えば、偏光調整素子４０は、１／４λ板である。偏光調整素子４０は、青成分光Ｂの偏光方向を直線偏光から円偏光に調整する。或いは、偏光調整素子４０は、青成分光Ｂの偏光方向を円偏光から直線偏光に調整する。すなわち、図５に示すように、偏光調整素子４０は、青成分光Ｂの往復によって、光路変更素子２０に対してＰ偏光の青成分光Ｂ（第１色成分光）を光路変更素子２０に対してＳ偏光の青成分光Ｂ（基準映像光）に調整する。
【００３３】
従って、第１実施形態では、上述した光路変更素子２０は、偏光調整素子４０によって調整される青成分光Ｂ（第１色成分光）の偏光に応じて、反射ミラー３２Ｂで反射されるＳ偏光の青成分光Ｂ（基準映像光）を光源１０Ｂから出射されるＰ偏光の青成分光Ｂ（第１色成分光）とは異なる方向に導く。
【００３４】
詳細には、光路変更素子２０は、光源１０Ｂから出射されるＰ偏光の青成分光Ｂ（第１色成分光）をカラーホイール３０側に透過する。光路変更素子２０は、カラーホイール３０で反射される赤成分光Ｒ及び緑成分光Ｇとともに、カラーホイール３０で反射されるＳ偏光の青成分光Ｂ（基準映像光）を反射ミラー５０側に反射する。
【００３５】
反射ミラー５０は、光路変更素子２０で反射される赤成分光Ｒ及び緑成分光Ｇをロッドインテグレータ６０側に反射する。同様に、反射ミラー５０は、光路変更素子２０で反射されるＳ偏光の青成分光Ｂ（第１色成分光）をロッドインテグレータ６０側に反射する。
【００３６】
ロッドインテグレータ６０は、内壁がミラー面によって構成される中空のロッドである。ロッドインテグレータ６０は、ロッドインテグレータ６０に入射する光を均一化する。なお、ロッドインテグレータ６０は、ガラスなどの透明部材によって構成される中実のロッドであってもよい。
【００３７】
折り返しミラー７０は、ロッドインテグレータ６０から出射される光をＤＭＤ８０側に反射する。
【００３８】
ＤＭＤ８０は、複数の微小ミラーによって構成されており、複数の微小ミラーは可動式である。各微小ミラーは、基本的に１画素に相当する。ＤＭＤ８０は、各微小ミラーの角度を変更することによって、投写ユニット９０側に光を反射するか否かを切り替える。
【００３９】
投写ユニット９０は、ＤＭＤ８０に設けられる微小ミラーで反射された光（映像光）を投写面上に投写する。
【００４０】
なお、投写型映像表示装置１００は、図１に示すように、必要なレンズ群（レンズ１１１〜レンズ１１４）を有する。レンズ１１１は、カラーホイール３０のホイール面に光を集光する。レンズ１１２は、ロッドインテグレータ６０の光入射面に光を集光する。レンズ１１３及びレンズ１１４は、リレーレンズである。
【００４１】
（作用及び効果）
第１実施形態によれば、偏光調整素子４０は、青成分光Ｂ（第１色成分光）の往復によって、光源１０Ｂから出射される青成分光Ｂ（第１色成分光）の偏光を異なる偏光に調整する。これによって、光路変更素子２０は、反射ミラー３２Ｂで反射される青成分光Ｂ（基準映像光）を光源１０Ｂから出射される青成分光Ｂ（第１色成分光）とは異なる方向に導く。従って、青成分光Ｂを基準映像光として用いる場合において、カラーホイール３０（反射型回転体）を用いることが可能となり、光利用効率の向上を図ることができる。
【００４２】
［変更例１］
以下において、第１実施形態の変更例１について説明する。以下においては、第１実施形態に対する相違点について主として説明する。
【００４３】
第１実施形態では、光源１０Ｂは、Ｐ偏光の青成分光Ｂ（第１色成分光）を出射する。これに対して、変更例１では、光源１０Ｂは、Ｓ偏光の青成分光Ｂ（第１色成分光）を出射する。
【００４４】
（投写型映像表示装置）
以下において、変更例１に係る投写型映像表示装置について、図面を参照しながら説明する。図６は、変更例１に係る投写型映像表示装置１００を示す図である。なお、図６では、図１と同様の構成について同様の符号を付している。
【００４５】
図６に示すように、投写型映像表示装置１００は、光路変更素子２０に代えて、光路変更素子２０Ａを有する。また、カラーホイール３０、偏光調整素子４０及びレンズ１１１の配置が異なっている。
【００４６】
光路変更素子２０Ａは、光源１０Ｂから出射される青成分光Ｂ（第１色成分光）の光路上において、光源１０Ｂとカラーホイール３０との間に配置される。なお、光路変更素子２０Ａは、例えば、ダイクロイックミラーである。
【００４７】
具体的には、光路変更素子２０Ａは、図７に示す特性を有する。図７において、縦軸は、透過率を示しており、横軸は、波長を示している。図７に示すように、光路変更素子２０Ａは、緑成分光Ｇ及び赤成分光Ｒを透過する。また、光路変更素子２０Ａは、Ｐ偏光の青成分光Ｂを透過し、Ｓ偏光の青成分光Ｂを反射する。
【００４８】
変更例１では、光路変更素子２０Ａは、光路変更素子２０と同様に、偏光調整素子４０によって調整される青成分光Ｂ（第１色成分光）の偏光に応じて、反射ミラー３２Ｂで反射されるＰ偏光の青成分光Ｂ（基準映像光）を光源１０Ｂから出射されるＳ偏光の青成分光Ｂ（第１色成分光）とは異なる方向に導く。
【００４９】
詳細には、光路変更素子２０Ａは、光源１０Ｂから出射されるＳ偏光の青成分光Ｂ（第１色成分光）をカラーホイール３０側に反射する。光路変更素子２０Ａは、カラーホイール３０で反射される赤成分光Ｒ及び緑成分光Ｇとともに、カラーホイール３０で反射されるＰ偏光の青成分光Ｂ（基準映像光）を反射ミラー５０側に透過する。
【００５０】
［変更例２］
以下において、第１実施形態の変更例２について説明する。以下においては、第１実施形態に対する相違点について主として説明する。
【００５１】
第１実施形態では、赤成分光Ｒは、青成分光Ｂ（第１色成分光）に応じて発光体３１Ｒから発光される。これに対して、変更例２では、光源１０Ｂとは別に、赤成分光Ｒを出射する光源が設けられる。
【００５２】
（投写型映像表示装置）
以下において、変更例２に係る投写型映像表示装置について、図面を参照しながら説明する。図８は、変更例２に係る投写型映像表示装置１００を示す図である。なお、図８では、図１と同様の構成について同様の符号を付している。
【００５３】
図８に示すよに、投写型映像表示装置１００は、光源１０Ｂに加えて、光源１０Ｒを有する。また、投写型映像表示装置１００は、光路変更素子２０に代えて、光路変更素子２０Ｂを有する。
【００５４】
なお、カラーホイール３０が赤領域３０Ｒ（発光体３１Ｒ）を有していないことは勿論である。また、光源１０Ｒから出射される赤成分光Ｒを平行光化するレンズ１１５が追加されている。
【００５５】
光源１０Ｒは、基準映像光として赤成分光Ｒを出射する。光源１０Ｒは、例えば、LＤ（Ｌａｓｅｒ  Ｄｉｏｄｅ）やＬＥＤ（Ｌｉｇｈｔ  Ｅｍｉｔｔｉｎｇ  Ｄｉｏｄｅ）などである。
【００５６】
光路変更素子２０Ｂは、光源１０Ｂから出射される青成分光Ｂ（第１色成分光）の路上において、光源１０Ｂとカラーホイール３０との間に配置される。なお、光路変更素子２０Ｂは、例えば、ダイクロイックミラーである。
【００５７】
具体的には、光路変更素子２０Ｂは、図９に示す特性を有する。図９において、縦軸は、透過率を示しており、横軸は、波長を示している。図９に示すように、光路変更素子２０Ｂは、緑成分光Ｇを反射して、赤成分光Ｒを透過する。また、光路変更素子２０Ｂは、Ｐ偏光の青成分光Ｂを透過し、Ｓ偏光の青成分光Ｂを反射する。
【００５８】
変更例２では、光路変更素子２０Ｂは、光路変更素子２０と同様に、偏光調整素子４０によって調整される青成分光Ｂ（第１色成分光）の偏光に応じて、反射ミラー３２Ｂで反射されるＳ偏光の青成分光Ｂ（基準映像光）を光源１０Ｂから出射されるＰ偏光の青成分光Ｂ（第１色成分光）とは異なる方向に導く。
【００５９】
詳細には、光路変更素子２０Ｂは、光源１０Ｂから出射されるＰ偏光の青成分光Ｂ（第１色成分光）をカラーホイール３０側に透過する。光路変更素子２０Ｂは、カラーホイール３０で反射される緑成分光Ｇ及び光源１０Ｒから出射される赤成分光Ｒとともに、カラーホイール３０で反射されるＳ偏光の青成分光Ｂ（基準映像光）を反射ミラー５０側に反射する。
【００６０】
［変更例３］
以下において、第１実施形態の変更例３について説明する。以下においては、第１実施形態に対する相違点について主として説明する。
【００６１】
第１実施形態では、基準映像光として用いる青成分光Ｂの光路は、基準映像光として用いる赤成分光Ｒ及び緑成分光Ｇの光路と完全に重畳している。これに対して、変更例３では、基準映像光として用いる青成分光Ｂの光路は、基準映像光として用いる赤成分光Ｒ及び緑成分光Ｇの光路と分離された上で再び重畳される。
【００６２】
（投写型映像表示装置）
以下において、変更例３に係る投写型映像表示装置について、図面を参照しながら説明する。図１０は、変更例３に係る投写型映像表示装置１００を示す図である。なお、図１０では、図１と同様の構成について同様の符号を付している。
【００６３】
図１０に示すように、投写型映像表示装置１００は、光路変更素子２０に代えて、光路変更素子２０Ｃを有する。また、投写型映像表示装置１００は、光路変更素子１２０及び光路変更素子１３０を有する。なお、ロッドインテグレータ６０の光入射面に赤成分光Ｒ及び緑成分光Ｇを集光するレンズ１１６が追加されている。
【００６４】
光路変更素子２０Ｃは、光源１０Ｂから出射される青成分光Ｂ（第１色成分光）の光路上において、光源１０Ｂとカラーホイール３０との間に配置される。なお、光路変更素子２０Ｃは、例えば、ＰＢＳキューブである。
【００６５】
具体的には、光路変更素子２０Ｃは、図１１に示す特性を有する。図１１において、縦軸は、透過率を示しており、横軸は、波長を示している。図１１に示すように、光路変更素子２０Ｃは、赤成分光Ｒ及び緑成分光Ｇを透過する。また、光路変更素子２０Ｃは、Ｐ偏光の青成分光Ｂを透過し、Ｓ偏光の青成分光Ｂを反射する。
【００６６】
変更例３では、光路変更素子２０Ｃは、光路変更素子２０と同様に、偏光調整素子４０によって調整される青成分光Ｂ（第１色成分光）の偏光に応じて、反射ミラー３２Ｂで反射されるＳ偏光の青成分光Ｂ（基準映像光）を光源１０Ｂから出射されるＰ偏光の青成分光Ｂ（第１色成分光）とは異なる方向に導く。
【００６７】
詳細には、光路変更素子２０Ｃは、光源１０Ｂから出射されるＰ偏光の青成分光Ｂ（第１色成分光）をカラーホイール３０側に透過する。光路変更素子２０Ｃは、カラーホイール３０で反射される赤成分光Ｒ及び緑成分光Ｇを光路変更素子１２０側に透過する。光路変更素子２０Ｃは、カラーホイール３０で反射されるＳ偏光の青成分光Ｂ（基準映像光）を反射ミラー５０側に反射する。
【００６８】
このように、光路変更素子２０Ｃは、基準映像光として用いる赤成分光Ｒ及び緑成分光Ｇの光路から、基準映像光として用いる青成分光Ｂの光路を分離する。
【００６９】
光路変更素子１２０は、光源１０Ｂから出射される青成分光Ｂ（第１色成分光）の光路上において、光源１０Ｂと光路変更素子２０Ｃとの間に配置される。なお、光路変更素子１２０は、例えば、ダイクロイックミラーである。
【００７０】
光路変更素子１２０は、光源１０Ｂから出射される青成分光Ｂ（第１色成分光）を光路変更素子２０Ｃ（カラーホイール３０）側に透過する。また、光路変更素子１２０は、光路変更素子２０Ｃを透過する赤成分光Ｒ及び緑成分光Ｇ（カラーホイール３０で反射される赤成分光Ｒ及び緑成分光Ｇ）を光路変更素子１３０側に反射する。
【００７１】
光路変更素子１３０は、反射ミラー５０で反射される青成分光Ｂ（基準映像光）をロッドインテグレータ６０側に透過する。光路変更素子１３０は、光路変更素子１２０で反射される赤成分光Ｒ及び緑成分光Ｇ（基準映像光）をロッドインテグレータ６０側に反射する。光路変更素子１３０は、例えば、ダイクロイックミラーである。
【００７２】
［変更例４］
以下において、第１実施形態の変更例４について説明する。以下においては、変更例３に対する相違点について主として説明する。
【００７３】
変更例３では、赤成分光Ｒは、青成分光Ｂ（第１色成分光）に応じて発光体３１Ｒから発光される。これに対して、変更例４では、光源１０Ｂとは別に、赤成分光Ｒを出射する光源が設けられる。
【００７４】
（投写型映像表示装置）
以下において、変更例４に係る投写型映像表示装置について、図面を参照しながら説明する。図１２は、変更例４に係る投写型映像表示装置１００を示す図である。なお、図１２では、図１と同様の構成について同様の符号を付している。
【００７５】
図１２に示すよに、投写型映像表示装置１００は、光源１０Ｂに加えて、光源１０Ｒを有する。また、投写型映像表示装置１００は、光路変更素子１２０に代えて、光路変更素子１２０Ａを有する。
【００７６】
なお、カラーホイール３０が赤領域３０Ｒ（発光体３１Ｒ）を有していないことは勿論である。また、光源１０Ｒから出射される赤成分光Ｒを平行光化するレンズ１１５が追加されている。
【００７７】
光路変更素子１２０Ａは、光源１０Ｂから出射される青成分光Ｂ（第１色成分光）の光路上において、光源１０Ｂと光路変更素子２０Ｃとの間に配置される。なお、光路変更素子１２０Ａは、例えば、ダイクロイックミラーである。
【００７８】
光路変更素子１２０Ａは、光源１０Ｂから出射される青成分光Ｂ（第１色成分光）を光路変更素子２０Ｃ（カラーホイール３０）側に透過する。また、光路変更素子１２０Ａは、光源１０Ｒから出射される赤成分光Ｒを光路変更素子１３０側に透過し、緑成分光Ｇ（カラーホイール３０で反射される赤成分光Ｒ及び緑成分光Ｇ）を光路変更素子１３０側に反射する。
【００７９】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００８０】
実施形態では、光変調素子として、ＤＭＤ８０が例示されているが、実施形態は、これに限定されるものではない。光変調素子は、１つの液晶パネル或いは３つの液晶パネル（赤液晶パネル、緑液晶パネル及び青液晶パネル）であってもよい。液晶パネルは、透過型であってもよく、反射型であってもよい。
【００８１】
実施形態では、光源１０Ｂは、偏光度の高い青成分光Ｂを出射する。しかしながら、実施形態は、これに限定されるものではない。例えば、偏光状態を１つの偏光（Ｐ偏光或いはＳ偏光）に揃える偏光変換素子が光源１０Ｂの光出射側に設けられていれば、光源１０Ｂから出射される青成分光Ｂの偏光度は低くてもよい。
【００８２】
実施形態では、反射型回転体の一例として、カラーホイール３０について説明した。しかしながら、実施形態は、これに限定されるものではない。反射型回転体は、反射体及び発光体を有する回転ドラムであってもよい。
【符号の説明】
【００８３】
１０Ｂ、１０Ｒ…光源、２０…光路変更素子、３０…カラーホイール、４０…偏光調整素子、５０…反射ミラー、６０…ロッドインテグレータ、７０…折り返しミラー、８０…ＤＭＤ、９０…投写ユニット、１００…投写型映像表示装置、１１１〜１１６…レンズ、１２０…光路変更素子、１３０…光路変更素子
【図１】
0005558996.tif 000002
【図２】
0005558996.tif 000003
【図３】
0005558996.tif 000004
【図４】
0005558996.tif 000005
【図５】
0005558996.tif 000006
【図６】
0005558996.tif 000007
【図７】
0005558996.tif 000008
【図８】
0005558996.tif 000009
【図９】
0005558996.tif 000010
【図１０】
0005558996.tif 000011
【図１１】
0005558996.tif 000012
【図１２】
0005558996.tif 000013